(57)【要約】【課題】装置の動作可能状態に応じて適した状態でジョブの確認表示を可能にする。【解決手段】画像形成装置で実行する予定の各種ジョブについて、実行予定時刻またはプリント予定用紙枚数を参照するジョブスケジュール表示のいずれかを行うジョブスケジュール表示方法であって、ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、前記第一表示状態により、前記ジョブスケジュール表示を行う。【選択図】図１
2011049671.tif 000002
【特許請求の範囲】
【請求項１】
画像形成装置で実行する予定の各種ジョブについて、実行予定時刻またはプリント予定用紙枚数を参照するジョブスケジュール表示のいずれかを行うジョブスケジュール表示方法であって、
ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行可能な場合には、前記第一表示状態により、前記ジョブスケジュール表示を行う、
ことを特徴とするジョブスケジュール表示方法。
【請求項２】
画像形成装置で実行する予定の各種ジョブについて、実行予定時刻またはプリント予定用紙枚数を参照するジョブスケジュール表示のいずれかを行うジョブスケジュール表示方法であって、
ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行不可能な場合には、前記第一表示状態により、前記プリント予定用紙枚数についての前記ジョブスケジュール表示を行う、
ことを特徴とするジョブスケジュール表示方法。
【請求項３】
画像形成装置で実行する予定の各種ジョブについて、実行予定時刻またはプリント予定用紙枚数を参照するジョブスケジュール表示のいずれかを行うジョブスケジュール表示方法であって、
ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行不可能な場合には、前記第二表示状態により、前記実行予定時刻についての前記ジョブスケジュール表示を行う、
ことを特徴とするジョブスケジュール表示方法。
【請求項４】
画像形成装置で実行する予定の各種ジョブについて、実行予定時刻またはプリント予定用紙枚数を参照するジョブスケジュール表示のいずれかを行うジョブスケジュール表示方法であって、
ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行可能な場合には、前記第一表示状態により前記ジョブスケジュール表示を行い、
プリント出力を行わないジョブとプリント出力を行うジョブとを並行実行不可能な場合には、前記第一表示状態により前記プリント予定用紙枚数についての前記ジョブスケジュール表示を行い、
プリント出力を行わないジョブとプリント出力を行うジョブとを並行実行不可能な場合には、前記第二表示状態により前記実行予定時刻についての前記ジョブスケジュール表示を行う、
ことを特徴とするジョブスケジュール表示方法。
【請求項５】
画像形成装置で実行する予定の各種ジョブについて、実行予定時刻またはプリント予定用紙枚数のいずれかを参照するジョブスケジュール表示を行う画像形成装置であって、
ジョブの表示に関する指示の入力を受け付ける操作部と、
各種表示を行う表示部と、
ジョブのデータおよびリストを記憶する記憶部と、
前記操作部における入力に基づいてジョブの確認表示の制御を行う制御部と、
を備え、
前記制御部は、
前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行可能な場合には、前記第一表示状態により前記ジョブスケジュール表示を前記表示部に行う、
ことを特徴とする画像形成装置。
【請求項６】
画像形成装置で実行する予定の各種ジョブについて、実行予定時刻またはプリント予定用紙枚数のいずれかを参照するジョブスケジュール表示を行う画像形成装置であって、
ジョブの表示に関する指示の入力を受け付ける操作部と、
各種表示を行う表示部と、
ジョブのデータおよびリストを記憶する記憶部と、
前記操作部における入力に基づいてジョブの確認表示の制御を行う制御部と、
を備え、
前記制御部は、
前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行不可能な場合には、前記第一表示状態により前記プリント予定用紙枚数についての前記ジョブスケジュール表示を前記表示部に行う、
ことを特徴とする画像形成装置。
【請求項７】
画像形成装置で実行する予定の各種ジョブについて、実行予定時刻またはプリント予定用紙枚数のいずれかを参照するジョブスケジュール表示を行う画像形成装置であって、
ジョブの表示に関する指示の入力を受け付ける操作部と、
各種表示を行う表示部と、
ジョブのデータおよびリストを記憶する記憶部と、
前記操作部における入力に基づいてジョブの確認表示の制御を行う制御部と、
を備え、
前記制御部は、
前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行不可能な場合には、前記第二表示状態により前記実行予定時刻についての前記ジョブスケジュール表示を前記表示部に行う、
ことを特徴とする画像形成装置。
【請求項８】
画像形成装置で実行する予定の各種ジョブについて、実行予定時刻またはプリント予定用紙枚数のいずれかを参照するジョブスケジュール表示を行う画像形成装置であって、
ジョブの表示に関する指示の入力を受け付ける操作部と、
各種表示を行う表示部と、
ジョブのデータおよびリストを記憶する記憶部と、
前記操作部における入力に基づいてジョブの確認表示の制御を行う制御部と、
を備え、
前記制御部は、
前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、
プリント出力を行わないジョブとプリント出力を行うジョブとを並行実行可能な場合には、前記第一表示状態により前記ジョブスケジュール表示を前記表示部に行い、
プリント出力を行わないジョブとプリント出力を行うジョブとを並行実行不可能な場合には、前記第一表示状態により前記プリント予定用紙枚数についての前記ジョブスケジュール表示を前記表示部に行い、
プリント出力を行わないジョブとプリント出力を行うジョブとを並行実行不可能な場合には、前記第二表示状態により前記実行予定時刻についての前記ジョブスケジュール表示を前記表示部に行う、
ことを特徴とする画像形成装置。
【発明の詳細な説明】
【技術分野】
【０００１】
本発明は、ジョブスケジュール表示方法および画像形成装置に関し、特に、装置の動作可能状態に応じて適した状態でジョブの確認表示を行う技術に関する。
【背景技術】
【０００２】
画像形成装置として、スキャン、コピー、プリント、ＦＡＸ等の複数の機能を有するＭＦＰ(Multi Function Peripheral）と呼ばれる複合機が使用されている。
このような複合機は多機能化が進んでおり、コピー、プリント、ＦＡＸ等の機能を備えるだけでなく、例えば、コピーがプリントに関する機能としても、ソート、ステープル、パンチ、両面コピー、集約コピー(２in１など)、倍率設定、などの機能を有している。
【０００３】
このような多機能化は便利な機能であるものの、その分だけ各々の機能に対応した設定を行う必要があるため、ジョブという単位で設定を行って、画像形成装置内に複数のジョブを予約し蓄積しておいて、連続実行するといった使い方がなされることもある。
【０００４】
このような画像形成装置においては、予約されたジョブが実行される時刻（進行状況）、あるいは予約されたジョブで使用される用紙枚数（用紙使用枚数に応じた用紙の補給予定）などを、操作表示部を介して操作者（オペレータ）が確認したいという要求がある。
【０００５】
なお、ジョブの表示に関しては、以下の特許文献に関連する提案がなされている。
【先行技術文献】
【特許文献】
【０００６】
【特許文献１】特開２００４―３４８７１３号公報
【特許文献２】特開平０５−０６１６２０号公報
【発明の概要】
【発明が解決しようとする課題】
【０００７】
特許文献１では、図２にジョブスケジューラにてジョブを表示する様子が開示されている。しかしながら、この特許文献１では、プリント出力するジョブのみを表示対象とし、表示スケールも時刻固定になっている。このため、ジョブ表示についての自由度が無く、また、適切なジョブ表示が行えないという問題が生じる。一方、特許文献２についても、同様に自由度のないジョブ表示であり、適切なジョブ表示が行えないという問題が生じる。
【０００８】
たとえば、プリント出力を行わないジョブとプリント出力を行うジョブとを並行実行可能な場合に、プリント出力を行わないジョブとプリント出力を行うジョブとを混在してジョブ表示すると、実行時刻（スケジュール）を確認しにくくなるという問題が生じる。
【０００９】
また、プリント出力を行わないジョブとプリント出力を行うジョブとを並行実行不可能な場合に、プリント出力を行うジョブのみをジョブ表示すると、スケールが時刻の場合に正しい終了時刻を得ることができないという問題が生じる。
【００１０】
また、プリント出力を行わないジョブとプリント出力を行うジョブとを並行実行可能であっても、並行実行不可能であっても、プリント出力を行わないジョブとプリント出力を行うジョブとを混在してジョブ表示すると、スケールがプリント枚数の場合に、プリント枚数を確認しにくくなるという問題が生じる。
【００１１】
本発明の課題は、装置の動作可能状態に応じて適した状態でジョブの確認表示が可能なジョブスケジュール表示方法および画像形成装置を実現することを目的とする。
【課題を解決するための手段】
【００１２】
上述した課題を解決する本願発明は、以下に述べる通りである。
（１）請求項１記載の発明は、画像形成装置で実行する予定の各種ジョブについて、実行予定時刻またはプリント予定用紙枚数を参照するジョブスケジュール表示のいずれかを行うジョブスケジュール表示方法であって、ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、前記第一表示状態により、前記ジョブスケジュール表示を行う、ことを特徴とするジョブスケジュール表示方法である。
【００１３】
また、請求項５記載の発明は、画像形成装置で実行する予定の各種ジョブについて、実行予定時刻またはプリント予定用紙枚数のいずれかを参照するジョブスケジュール表示を行う画像形成装置であって、ジョブの表示に関する指示の入力を受け付ける操作部と、各種表示を行う表示部と、ジョブのデータおよびリストを記憶する記憶部と、前記操作部における入力に基づいてジョブの確認表示の制御を行う制御部と、を備え、前記制御部は、前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、前記第一表示状態により前記ジョブスケジュール表示を前記表示部に行う、ことを特徴とする画像形成装置である。
【００１４】
（２）請求項２記載の発明は、画像形成装置で実行する予定の各種ジョブについて、実行予定時刻またはプリント予定用紙枚数を参照するジョブスケジュール表示のいずれかを行うジョブスケジュール表示方法であって、ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行不可能な場合には、前記第一表示状態により、前記プリント予定用紙枚数についての前記ジョブスケジュール表示を行う、ことを特徴とするジョブスケジュール表示方法である。
【００１５】
また、請求項６記載の発明は、画像形成装置で実行する予定の各種ジョブについて、実行予定時刻またはプリント予定用紙枚数のいずれかを参照するジョブスケジュール表示を行う画像形成装置であって、ジョブの表示に関する指示の入力を受け付ける操作部と、各種表示を行う表示部と、ジョブのデータおよびリストを記憶する記憶部と、前記操作部における入力に基づいてジョブの確認表示の制御を行う制御部と、を備え、前記制御部は、前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行不可能な場合には、前記第一表示状態により前記プリント予定用紙枚数についての前記ジョブスケジュール表示を前記表示部に行う、ことを特徴とする画像形成装置である。
【００１６】
（３）請求項３記載の発明は、画像形成装置で実行する予定の各種ジョブについて、実行予定時刻またはプリント予定用紙枚数を参照するジョブスケジュール表示のいずれかを行うジョブスケジュール表示方法であって、ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行不可能な場合には、前記第二表示状態により、前記実行予定時刻についての前記ジョブスケジュール表示を行う、ことを特徴とするジョブスケジュール表示方法である。
【００１７】
また、請求項７記載の発明は、画像形成装置で実行する予定の各種ジョブについて、実行予定時刻またはプリント予定用紙枚数のいずれかを参照するジョブスケジュール表示を行う画像形成装置であって、ジョブの表示に関する指示の入力を受け付ける操作部と、各種表示を行う表示部と、ジョブのデータおよびリストを記憶する記憶部と、前記操作部における入力に基づいてジョブの確認表示の制御を行う制御部と、を備え、前記制御部は、前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行不可能な場合には、前記第二表示状態により前記実行予定時刻についての前記ジョブスケジュール表示を前記表示部に行う、ことを特徴とする画像形成装置である。
【００１８】
（４）請求項４記載の発明は、画像形成装置で実行する予定の各種ジョブについて、実行予定時刻またはプリント予定用紙枚数を参照するジョブスケジュール表示のいずれかを行うジョブスケジュール表示方法であって、ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、前記第一表示状態により前記ジョブスケジュール表示を行い、プリント出力を行わないジョブとプリント出力を行うジョブとを並行実行不可能な場合には、前記第一表示状態により前記プリント予定用紙枚数についての前記ジョブスケジュール表示を行い、プリント出力を行わないジョブとプリント出力を行うジョブとを並行実行不可能な場合には、前記第二表示状態により前記実行予定時刻についての前記ジョブスケジュール表示を行う、ことを特徴とするジョブスケジュール表示方法である。
【００１９】
また、請求項８記載の発明は、画像形成装置で実行する予定の各種ジョブについて、実行予定時刻またはプリント予定用紙枚数のいずれかを参照するジョブスケジュール表示を行う画像形成装置であって、ジョブの表示に関する指示の入力を受け付ける操作部と、各種表示を行う表示部と、ジョブのデータおよびリストを記憶する記憶部と、前記操作部における入力に基づいてジョブの確認表示の制御を行う制御部と、を備え、前記制御部は、前記ジョブリストに基づいて、プリント出力を行わないジョブを表示せずに、プリント出力を行うジョブの表示を行う第一表示状態と、前記ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、前記第一表示状態により前記ジョブスケジュール表示を前記表示部に行い、プリント出力を行わないジョブとプリント出力を行うジョブとを並行実行不可能な場合には、前記第一表示状態により前記プリント予定用紙枚数についての前記ジョブスケジュール表示を前記表示部に行い、プリント出力を行わないジョブとプリント出力を行うジョブとを並行実行不可能な場合には、前記第二表示状態により前記実行予定時刻についての前記ジョブスケジュール表示を前記表示部に行う、ことを特徴とする画像形成装置である。
【発明の効果】
【００２０】
以上の発明によれば、以下のような効果を得ることができる。
（１）第１の発明では、画像形成装置で実行する予定の各種ジョブについて、実行予定時刻またはプリント予定用紙枚数を参照するジョブスケジュール表示のいずれかを行う際に、ジョブリストに基づいて、プリント出力を行わないジョブを表示せずにプリント出力を行うジョブの表示を行う第一表示状態と、ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、第一表示状態（プリント出力を行わないジョブを表示せずにプリント出力を行うジョブの表示を行う）により、ジョブスケジュール表示を行う。
【００２１】
すなわち、プリント出力を行わないジョブとプリント出力を行うジョブとを並行実行可能な場合に、プリント出力を行わないジョブとプリント出力を行うジョブとを混在して表示せずに、プリント出力を行うジョブのみを表示することで、ジョブの実行時刻（スケジュール）を確認しにくくなるという問題は解消され、スケールがプリント枚数であっても実行時刻であっても、適切なジョブ表示が可能になる。
【００２２】
（２）第２の発明では、画像形成装置で実行する予定の各種ジョブについて、実行予定時刻またはプリント予定用紙枚数を参照するジョブスケジュール表示のいずれかを行う際に、ジョブリストに基づいて、プリント出力を行わないジョブを表示せずに、プリント出力を行うジョブの表示を行う第一表示状態と、ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行不可能な場合には、第一表示状態により、プリント予定用紙枚数についてのジョブスケジュール表示を行う。
【００２３】
すなわち、プリント出力を行わないジョブとプリント出力を行うジョブとを並行実行不可能な場合に、プリント出力を行わないジョブとプリント出力を行うジョブとを混在して表示せずに、プリント出力を行うジョブのみを表示することで、スケールがプリント枚数の場合にプリント枚数を確認しにくくなるという問題は解消され、適切なジョブ表示が可能になる。
【００２４】
（３）第３の発明では、画像形成装置で実行する予定の各種ジョブについて、実行予定時刻またはプリント予定用紙枚数を参照するジョブスケジュール表示のいずれかを行う際に、ジョブリストに基づいて、プリント出力を行わないジョブを表示せずに、プリント出力を行うジョブの表示を行う第一表示状態と、ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行不可能な場合には、第二表示状態により、実行予定時刻についてのジョブスケジュール表示を行う。
【００２５】
すなわち、プリント出力を行わないジョブとプリント出力を行うジョブとを並行実行不可能な場合に、プリント出力を行うジョブのみを表示するのではなく、プリント出力を行わないジョブとプリント出力を行うジョブとを混在して表示することで、スケールが実行時刻である場合に正しい開始時刻や終了時刻を得ることができないという問題は解消され、適切なジョブ表示が可能になる。
【００２６】
（４）第４の発明では、画像形成装置で実行する予定の各種ジョブについて、実行予定時刻またはプリント予定用紙枚数を参照するジョブスケジュール表示のいずれかを行う際に、ジョブリストに基づいて、プリント出力を行わないジョブを表示せずに、プリント出力を行うジョブの表示を行う第一表示状態と、ジョブリストに基づいてプリント出力を行わないジョブとプリント出力を行うジョブとの表示を行う第二表示状態との表示状態切替が可能であり、プリント出力を行わないジョブとプリント出力を行うジョブとを並行実行可能な場合には、第一表示状態によりジョブスケジュール表示を行い、プリント出力を行わないジョブとプリント出力を行うジョブとを並行実行不可能な場合には、第一表示状態によりプリント予定用紙枚数についてのジョブスケジュール表示を行い、プリント出力を行わないジョブとプリント出力を行うジョブとを並行実行不可能な場合には、第二表示状態により実行予定時刻についてのジョブスケジュール表示を行う。
【００２７】
すなわち、プリント出力を行わないジョブとプリント出力を行うジョブとを並行実行可能な場合に、プリント出力を行わないジョブとプリント出力を行うジョブとを混在して表示せずに、プリント出力を行うジョブのみを表示することで、ジョブの実行時刻（スケジュール）を確認しにくくなるという問題は解消され、スケールがプリント枚数であっても実行時刻であっても、適切なジョブ表示が可能になる。
【００２８】
また、プリント出力を行わないジョブとプリント出力を行うジョブとを並行実行不可能な場合に、プリント出力を行わないジョブとプリント出力を行うジョブとを混在して表示せずに、プリント出力を行うジョブのみを表示することで、スケールがプリント枚数の場合にプリント枚数を確認しにくくなるという問題は解消され、適切なジョブ表示が可能になる。
【００２９】
さらに、プリント出力を行わないジョブとプリント出力を行うジョブとを並行実行不可能な場合に、プリント出力を行うジョブのみを表示するのではなく、プリント出力を行わないジョブとプリント出力を行うジョブとを混在して表示することで、スケールが実行時刻である場合に正しい開始時刻や終了時刻を得ることができないという問題は解消され、適切なジョブ表示が可能になる。
【図面の簡単な説明】
【００３０】
【図１】本発明の実施形態の概略構成を示す構成図である
【図２】本発明の実施形態の動作を示すタイムチャートである。
【図３】本発明の実施形態を説明する説明図である。
【図４】本発明の実施形態を説明する説明図である。
【図５】本発明の実施形態を説明する説明図である。
【図６】本発明の実施形態を説明する説明図である。
【図７】本発明の実施形態を説明する説明図である。
【発明を実施するための形態】
【００３１】
以下、図面を参照して本発明のジョブスケジュール表示を実施するための形態（実施形態）を詳細に説明する。
〔構成〕
ここで、第一実施形態の第一例として、ジョブスケジュール表示を行う装置を構成する画像形成装置１００の構成を、図１（ブロック図）に基づいて詳細に説明する。
【００３２】
なお、この実施形態の画像形成装置１００としては、各種の画像形成装置に適用が可能であるが、ここでは、ネットワークに接続された、スキャナ，複写機，プリンタ，ファクシミリ装置の機能を備えた複合機（ＭＦＰ）、あるいは複写機を具体例にして説明を続ける。
【００３３】
また、画像形成装置１００として既知であって、本実施形態の特徴的な動作や制御に直接に関係しない一般的な部分についての説明は省略してある。
図１に示す画像形成装置１００は、各部を制御すると共にジョブスケジュール表示制御部１０１Ｊを備えた制御部１０１と、操作者が各種操作入力を行うと共に各種表示を行う操作表示部１０５、ジョブデータや各種データを記憶する記憶部１１０、原稿を読み取って画像データを生成するスキャナ１２０、画像形成すべき画像データに所定の画像処理を施す画像処理部１３０、画像データに基づいて用紙上に画像を形成するプリントエンジン１４０、画像形成された用紙に各種後処理を施すフィニッシャ１５０、を備えて構成されている。
【００３４】
ここで、制御部１０１、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。また、制御部１０１は、後述するように、図２のフローチャートに示すジョブスケジュール表示処理を実行する。
【００３５】
なお、この図１に示す例では、制御部１０１内のジョブスケジュール表示制御部１０１Ｊが、ジョブスケジュール表示方法を実施する制御部を構成している。
ここで、ジョブスケジュール表示制御部１０１Ｊは、制御部１０１で動作するジョブスケジュール表示プログラム、あるいは、制御部１０１上のジョブスケジュール表示プロセッサにより実現される。
【００３６】
ここで、操作表示部１０５は、キーボード、マウス、タッチパネル等の入力デバイスを備え、入力される各種指示信号を制御部１０１に送信する。また、操作表示部１０５は、ＬＣＤ（Liquid Crystal Display）やＣＲＴ（Cathode Ray Tube）等の表示手段を備え、制御部１０１から入力される各種画像データを表示する。なお、この操作表示部は操作部と表示部が別であってもよいが、表示されたアイコンあるいはキー（以下、「キー」と呼ぶ）を押下するタッチパネルが一般的であるため、以下の実施形態ではタッチパネル形式の操作表示部１０５であるとして説明を行う。
【００３７】
また、記憶部１１０は、データの書き込み、消去、読み出しが自在に行えるＨＤＤ（Hard Disc Drive）やフラッシュメモリ等の記憶装置であり、固定的に設けたものであってもよいし、また、着脱自在に設けたものであってもよい。この記憶部１１０は、登録済みの一又は複数のジョブを含むジョブデータ（処理済み、処理中のジョブや、未処理のジョブを含む。）を格納する。さらに、記憶部１１０は、ジョブデータのジョブリストを格納する。このジョブリストは、制御部により編集（すなわち、作成及び変更）され、ジョブが追加されたり、処理が開始・終了される度に、リスト内容が更新される。記憶部１１０に格納されるジョブリストには最新のリスト内容が反映されている。
【００３８】
プリントエンジン１４０は、電子写真方式や各種方式の画像形成部や印刷装置であり、複写機やプリンタやファクシミリ装置などにおいて所定の用紙上に画像を形成して出力するものである。フィニッシャ１５０は、ステープル、パンチ、折り、綴じ、製本、スタック、など、画像形成された用紙に対して各種の後処理を施す後処理装置である。
【００３９】
また、図１に示す画像形成システム１では、画像形成装置１００は、通信手段２００を介して、外部ＰＣなどの外部機器と通信可能に接続されている。ここで、通信手段２００は、例えば、ＬＡＮ（Local Area Network）やＷＡＮ（Wide Area Network）等を想定するが、電話回線網、ＩＳＤＮ（Integrated Services Digital Network）回線網、ＡＤＳＬ（Asymmetric Digital Suscriber Line）回線網、移動体通信網、通信衛星回線、ＣＡＴＶ（CAble TeleVision）回線、光通信回線、無線通信回線等の各種通信回線を含むような構成であってもよい。
【００４０】
〔動作〕
以下、図２のフローチャート、図３以降の画面説明図などを参照して、本実施形態のジョブスケジュール表示方法および画像形成装置の動作を説明する。
【００４１】
ここで、画像形成装置１００においては、操作表示部１０５や外部ＰＣなどからジョブの予約が設定されており、予約ジョブのリスト（ジョブリスト）が存在しているものとする。ここで、ジョブとしては、たとえば、画像形成を行うプリントジョブ、原稿を複写して画像形成するコピージョブ、原稿をスキャンして画像データを得るスキャンジョブ、などが存在する。
【００４２】
このような画像形成装置においては、現在実行中のジョブの終了時刻や用紙使用枚数、予約ジョブが実行される時刻（開始時刻、終了時刻、進行状況）、あるいは予約ジョブで使用される用紙枚数などを、操作表示部を介して操作者（オペレータ）が確認したいという要求がある。そして、実行中ジョブの終了時刻、予約ジョブの開始時刻や終了時刻、あるいは、用紙使用枚数などから、オペレータは、用紙の補給の予想をたてる必要がある。
【００４３】
そこで、操作表示部１０５を介したオペレータからの入力により、ジョブリストに基づいたジョブスケジュール表示の要求が発生したとする（図２中のステップＳ２０１）。この場合、図３の表示画面の「ジョブリスト」キー（図３（１））と「スケジュール」キー（図３（２））とが押下され、ジョブのスケジュールを表示する要求が操作表示部１０５から制御部１０１に伝達される。
【００４４】
この要求を受けた制御部１０１内では、ジョブスケジュール表示制御部１０１Ｊが、登録されているジョブリストの中で、先頭ジョブの情報を取得する（図２中のステップＳ２０２）。ここで、先頭ジョブとは、実行中のジョブが存在すれば、その実行中のジョブ、実行中のジョブが無ければ実行予定の最上位のジョブが該当する。図３に示す例では、出力中（実行中）のコピージョブ（ジョブ番号０００１）が該当する。
【００４５】
そして、ジョブスケジュール表示制御部１０１Ｊは、取得したジョブの内容を判定する（図２中のステップＳ２０３）。ここで、ジョブスケジュール表示制御部１０１Ｊは、ジョブの内容の判定として、プリント出力するか否か、前後の他のジョブと並行実行可能か否か、ジョブ命令に基づく作業必要時間、などを判定あるいは算出する。
（図２中のステップＳ２０３）。
【００４６】
ジョブスケジュール表示制御部１０１Ｊによるジョブ内容判定（図２中のステップＳ２０３）の結果、プリント出力するジョブであれば（図２中のステップＳ２０４でＮＯ）、ジョブスケジュール表示の対象ジョブとして設定する（図２中のステップＳ２０７）。
【００４７】
ジョブスケジュール表示制御部１０１Ｊによるジョブ内容判定（図２中のステップＳ２０３）の結果、プリント出力しないジョブであって（図２中のステップＳ２０４でＹＥＳ）、前後の他のプリントするジョブと並行実行できる場合には（図２中のステップＳ２０５でＹＥＳ）、ジョブスケジュール表示の対象ジョブとして設定しない（図２中のステップＳ２０７をスキップ）。
【００４８】
ジョブスケジュール表示制御部１０１Ｊによるジョブ内容判定（図２中のステップＳ２０３）の結果、プリント出力しないジョブであって（図２中のステップＳ２０４でＹＥＳ）、前後の他のプリントするジョブと並行実行できない場合であって（図２中のステップＳ２０５でＮＯ）、ジョブスケジュール表示をプリント枚数スケールで行う場合（図２中のステップＳ２０６でＮＯ）、ジョブスケジュール表示の対象ジョブとして設定しない（図２中のステップＳ２０７をスキップ）。
【００４９】
一方、ジョブスケジュール表示制御部１０１Ｊによるジョブ内容判定（図２中のステップＳ２０３）の結果、プリント出力しないジョブであって（図２中のステップＳ２０４でＹＥＳ）、前後の他のジョブと並行実行できない場合であって（図２中のステップＳ２０５でＮＯ）、ジョブスケジュール表示を時刻スケールで行う場合（図２中のステップＳ２０６でＹＥＳ）、ジョブスケジュール表示の対象ジョブとして設定する（図２中のステップＳ２０７）。
【００５０】
なお、ここで、ステップＳ２０５における、前後の他のプリントするジョブと並行実行できる場合とは、スキャンジョブなどのプリントしないジョブ（図２中のステップＳ２０４でＹＥＳ）であって、前後のコピージョブやプリントジョブと同時にあるいは並行して画像形成装置の各部が問題なく動作できる状態を言う。
【００５１】
たとえば、スキャンジョブであればスキャナ１２０を使用するもののプリントエンジン１４０を使用しないため、スキャナ１２０を使用せずにプリントエンジン１４０を使用するプリントジョブとは問題なく並行実行可能である（図６（ａ）参照）。
【００５２】
また、スキャンジョブであればスキャナ１２０を使用するため、コピージョブにおいてスキャナ１２０を使用する読み取りタイミングでは並行実行できない（図７（ａ）参照）が、コピージョブにおいてスキャナ１２０を使用しないプリントタイミングとは並行実行できる（図６（ａ））。したがって、スキャンジョブの前後のジョブがスキャナ１２０をどの程度使用するかによって、スキャンジョブが他のジョブと並行実行できるか否かが決定される。
【００５３】
なお、画像形成装置１００に装着されている各部の機能や能力によっても、並行実行できるか否かが決定される場合もある。よって、ジョブスケジュール表示制御部１０１Ｊは、制御部１０１から必要な情報を得て、画像形成装置１００の各部の機能や能力についても参照し、上述した並行実行できるか否かの判定を行う。
【００５４】
ここで、判定したジョブがジョブ番号０００１のコピージョブであれば、ジョブスケジュール表示制御部１０１Ｊによるジョブ内容判定（図２中のステップＳ２０３）の結果、プリント出力するジョブである（図２中のステップＳ２０４でＮＯ）ので、ジョブスケジュール表示の対象ジョブとして設定する（図２中のステップＳ２０７）。
【００５５】
そして、コピージョブ（図３のジョブ番号０００１）について以上のステップＳ２０３−Ｓ２０７の処理が済んだら、ジョブスケジュール表示制御部１０１Ｊは、登録されているジョブリストの中で、次に実行する予定のジョブの情報を取得する（図２中のステップＳ２０８，Ｓ２０９）。図３に示す例では、出力中（実行中）のコピージョブ（ジョブ番号０００１）の次の、スキャンジョブ（ジョブ番号０００２）が該当する。
【００５６】
ここで、判定するジョブがジョブ番号０００２のスキャンジョブであれば、ジョブスケジュール表示制御部１０１Ｊによるジョブ内容判定（図２中のステップＳ２０３）の結果、プリント出力しないジョブであるため（図２中のステップＳ２０４でＹＥＳ）、前後の他のジョブと並行実行できない場合であれば（図２中のステップＳ２０５でＮＯ）、ジョブスケジュール表示を時刻スケールで行う場合（図２中のステップＳ２０６でＹＥＳ）、ジョブスケジュール表示の対象ジョブとして設定する（図２中のステップＳ２０７）。
【００５７】
一方、ジョブスケジュール表示制御部１０１Ｊによるジョブ内容判定（図２中のステップＳ２０３）の結果、該スキャンジョブが、前後の他のプリントするジョブと並行実行できない場合であって（図２中のステップＳ２０５でＮＯ）、ジョブスケジュール表示をプリント枚数スケールで行う場合（図２中のステップＳ２０６でＮＯ）、ジョブスケジュール表示の対象ジョブとして設定しない（図２中のステップＳ２０７をスキップ）。
【００５８】
また、ジョブスケジュール表示制御部１０１Ｊによるジョブ内容判定（図２中のステップＳ２０３）の結果、スキャナ１２０の使用状況などによって、該スキャンジョブが、前後の他のプリントするジョブと並行実行できる場合には（図２中のステップＳ２０５でＹＥＳ）、ジョブスケジュール表示の対象ジョブとして設定しない（図２中のステップＳ２０７をスキップ）。
【００５９】
そして、スキャンジョブ（図３のジョブ番号０００２）について以上のステップＳ２０３−Ｓ２０７の処理が済んだら、ジョブスケジュール表示制御部１０１Ｊは、登録されているジョブリストの中で、次に実行する予定のジョブの情報を取得する（図２中のステップＳ２０８，Ｓ２０９）。図３に示す例では、スキャンジョブ（ジョブ番号０００２）の次の、プリント（ジョブ番号０００３）が該当する。
【００６０】
ここで、判定するジョブがジョブ番号０００３のプリントジョブであれば、ジョブスケジュール表示制御部１０１Ｊによるジョブ内容判定（図２中のステップＳ２０３）の結果、プリント出力するジョブである（図２中のステップＳ２０４でＮＯ）ので、ジョブスケジュール表示の対象ジョブとして設定する（図２中のステップＳ２０７）。
【００６１】
そして、コピージョブ（図３のジョブ番号０００３）について以上のステップＳ２０３−Ｓ２０７の処理が済んだら、ジョブスケジュール表示制御部１０１Ｊは、登録されているジョブリストの中で、次に実行する予定のジョブの情報を取得する（図２中のステップＳ２０８，Ｓ２０９）。
【００６２】
図３に示す例では、それ以上のジョブが存在しないため（図３中のステップＳ２０８でＮＯ）、スケジュール表示制御部１０１Ｊは、以上のようにして各ジョブについてスケジュール表示対象であるか否かの設定に基づいて、スケジュール表示を操作表示部１０５に行う（図２中のステップＳ２１０）。
【００６３】
図４と図５とは、以上のフローチャートの処理に従ってジョブスケジュール表示制御部１０１Ｊが設定したスケジュール表示の一例を示す画面の説明図である。これらの図で、用紙毎に、用紙確実有り（横線・密）、用紙切れ可能性あり（横線・粗）、用紙なし確実（波線）についても、各ジョブの表示により確認できる。
【００６４】
図４（ａ）では表示スケール（横軸）がプリント用紙枚数あり、ＪＯＢ１については８．５×１１の普通紙で５０００枚プリント出力され、ＪＯＢ１の最後に用紙切れになることを示している。また、ＪＯＢ３についてはＡ４普通紙で３０００枚プリント出力され、ＪＯＢ３の最後に用紙切れ可能性があることを示している。
【００６５】
図４（ｂ）では表示スケール（横軸）が各ジョブの実行予定時刻であり、ＪＯＢ１については８．５×１１の普通紙で、０８：３０から６０分かけてプリント出力され、ＪＯＢ１の最後に用紙切れになることを示している。また、ＪＯＢ３についてはＡ４普通紙で、０９：３０から８５分かけてプリント出力され、ＪＯＢ３の最後に用紙切れ可能性があることを示している。
【００６６】
図５では表示スケール（横軸）が各ジョブの実行予定時刻であり、ＪＯＢ１については８．５×１１の普通紙で、０８：３０から６０分かけて枚プリント出力され、ＪＯＢ１の最後に用紙切れになることを示している。また、ＪＯＢ２については、０９：３０から１５分かけてプリント出力されずに実行されることを示している。さらに、ＪＯＢ３についてはＡ４普通紙で、０９：１５から８５分かけてプリント出力され、ＪＯＢ３の最後に用紙切れ可能性があることを示している。
【００６７】
図４（ａ）は表示スケールがプリント枚数になっており、用紙の使用状況が把握できる。図４（ｂ）は表示スケールが時刻になっており、ジョブの開始時刻や終了時刻、用紙切れとなる時刻が把握できる。図５は表示スケールが時刻になっており、ジョブの開始時刻や終了時刻、用紙切れとなる時刻が把握できる。
【００６８】
また、図６は、並列処理可能なジョブについてのジョブ実行順（図６（ａ））とそのジョブスケジュール表示の様子（図６（ｂ））を示している。また、図７は、並列処理不可であるジョブについてのジョブ実行順（図７（ａ））とそのジョブスケジュール表示の様子（表示スケール＝プリント枚数の場合は図７（ｂ）、表示スケール＝時刻の場合は図７（ｃ））を示している。なお、図６と図７におけるＪＯＢ１，２，３は、図３におけるジョブ０００１，０００２，０００３が該当する。
【００６９】
ここで、プリントしないジョブ（図３のジョブ番号０００２のスキャンジョブ）について、前後のプリントするジョブ（図３のジョブ番号０００１のコピージョブと、図３のジョブ番号０００３のプリントジョブ）とについて、並行実行可能である場合（図３中のステップＳ２０５でＹＥＳ、図６（ａ））、表示スケールがプリント枚数であれば、図４（ａ）のようにして、プリント出力しないＪＯＢ２を表示せずに、プリント出力するＪＯＢ１とＪＯＢ３とを表示する。これは、請求項における第一表示状態に該当する。これにより、プリント出力に使用される用紙枚数が明確になり、オペレータは用紙補充の準備ができる。
【００７０】
また、プリントしないジョブ（図３のジョブ番号０００２のスキャンジョブ）について、前後のプリントするジョブ（図３のジョブ番号０００１のコピージョブと、図３のジョブ番号０００３のプリントジョブ）とについて、並行実行可能である場合（図３中のステップＳ２０５でＹＥＳ、図６（ａ））、表示スケールが時刻であれば、図４（ｂ）のようにして、プリント出力しないＪＯＢ２を表示せずに、プリント出力するＪＯＢ１とＪＯＢ３とを表示する。これは、請求項における第一表示状態に該当する。これにより、プリント出力の開始・終了の時刻が明確になり、ジョブの開始時刻や終了時刻、用紙切れとなる時刻が把握でき、オペレータは用紙補充の適切なタイミングで準備ができる。
【００７１】
ここで、プリントしないジョブ（図３のジョブ番号０００２のスキャンジョブ）について、前後のプリントするジョブ（図３のジョブ番号０００１のコピージョブと、図３のジョブ番号０００３のプリントジョブ）とについて、並行実行不可である場合（図３中のステップＳ２０５でＮＯ、図７（ａ））、表示スケールがプリント枚数であれば（図３ステップＳ２０６でＮＯ）、図４（ａ）のようにして、プリント出力しないＪＯＢ２を表示せずに、プリント出力するＪＯＢ１とＪＯＢ３とを表示する。これは、請求項における第一表示状態に該当する。これにより、プリント出力に使用される用紙枚数が明確になり、オペレータは用紙補充の準備ができる。
【００７２】
また、プリントしないジョブ（図３のジョブ番号０００２のスキャンジョブ）について、前後のプリントするジョブ（図３のジョブ番号０００１のコピージョブと、図３のジョブ番号０００３のプリントジョブ）とについて、並行実行不可である場合（図３中のステップＳ２０５でＮＯ、図７（ａ））であって、表示スケールが時刻であれば（図３ステップＳ２０６でＹＥＳ）、図５のようにして、プリント出力するＪＯＢ１とＪＯＢ３とに加え、プリント出力しないＪＯＢ２を表示する。これは、請求項における第二表示状態に該当する。これにより、プリント出力とスキャンとの各動作の開始・終了の時刻が明確になり、ジョブの開始時刻や終了時刻、用紙切れとなる時刻が把握でき、オペレータは用紙補充の適切なタイミングで準備ができる。
【００７３】
〔変形例（１）〕
なお、以上の処理において、ジョブスケジュール表示について、表示スケールをプリント枚数にするか、時刻にするかについては、操作表示部１０５を介してオペレータからジョブスケジュール表示要求の指示に併せて指示を受けてもよいし、オペレータにより予めプリセットされたものでもよい。
【００７４】
また、表示スケールをプリント枚数にしたジョブスケジュール表示と、表示スケールを時刻にしたジョブスケジュール表示とを、ジョブスケジュール表示制御部１０１Ｊの制御により、所定タイミング毎に交互に表示するようにしてもよい。
【００７５】
また、操作表示部１０５に充分な表示エリアが存在する場合には、表示スケールをプリント枚数にしたジョブスケジュール表示と、表示スケールを時刻にしたジョブスケジュール表示とを、ジョブスケジュール表示制御部１０１Ｊの制御により、同時に並列して表示するようにしてもよい。
【００７６】
〔変形例（２）〕
以上の説明では、画像形成装置１００内の制御部１０１内にジョブスケジュール表示制御部１０１Ｊを有していたが、これに限定されるものではない。たとえば、画像形成装置１００と接続された外部ＰＣ内にジョブスケジュール表示制御部を設け、外部ＰＣにおいてジョブスケジュール表示を実行するようにしてもよい。この場合、上述したジョブスケジュール表示制御部１０１Ｊと同様の制御を、外部ＰＣ内のジョブスケジュール表示制御部が実行すればよい。
【００７７】
〔変形例（３）〕
以上の説明では、画像形成装置１００内の制御部１０１内にジョブスケジュール表示制御部１０１Ｊとジョブスケジュール表示を実行する操作表示部１０５とを有していたが、これに限定されるものではない。たとえば、画像形成装置１００と接続された外部ＰＣにジョブスケジュール表示を行う表示部を設け、外部ＰＣ内のジョブスケジュール表示制御部によるジョブスケジュール表示制御により、外部ＰＣの表示部あるいは独立した外部の表示装置にジョブスケジュール表示を実行するようにしてもよい。
【符号の説明】
【００７８】
１００  画像形成装置
１０１  制御部
１０１Ｊ  ジョブスケジュール表示制御部
１０５  操作表示部
１１０  記憶部
１２０  スキャナ
１３０  画像処理部
１４０  プリントエンジン
１５０  フィニッシャ
【図１】
2011049671.tif 000003
【図２】
2011049671.tif 000004
【図６】
2011049671.tif 000005
【図７】
2011049671.tif 000006
【図３】
2011049671.tif 000007
【図４】
2011049671.tif 000008
【図５】
2011049671.tif 000009